(57)【要約】本発明は、基板（２）スペーサー層（５）及びカバー層（８）を有する光学記録媒体について述べている。この媒体は、二つの情報層（３，４）及び（６，７）を有している。本発明はさらに、かかる情報媒体（１）の製造方法についても述べており、この情報層がデータパターンを以て設けられている様式に関している。本発明は、さらに、紫外線（１０）透過性スタンパー（９）が、光重合ラッカー及び／又は圧力感応接着剤を組み合わせて使用されている方法についても述べている。
2005501359.tif 000002
【特許請求の範囲】
【請求項１】
ｉ）基板、
ｉｉ）ピット／グルーブの第１データパターン、
ｉｉｉ）前記第１データパターンに近接している第１スタック層、
ｉｖ）スペーサー、
ｖ）第２スタック層、
ｖｉ）ピット／グルーブの第２データパターン、及び
ｖｉｉ）カバー、
を連続して有している光学記録媒体であって、
当該記録媒体は、相互に連結している要素で構成されていると考えてもよく、前記要素は、
ａ）前記第１スタック層が設けられた上に前記のピット／グルーブの第１データパターンが設けられている基板、
ｂ）スペーサー、
ｃ）前記第２スタック層が設けられた上に前記のピット／グルーブの第２データパターンが設けられたカバーであって、該第２スタック層は前記スペーサーに対して横たわっている、カバー、
が連続していることを特徴とする光学記録媒体。
【請求項２】
ｉ）基板、
ｉｉ）ピット／グルーブの第１データパターン、
ｉｉｉ）前記第１データパターンに近接している第１スタック層、
ｉｖ）スペーサー、
ｖ）第２スタック層、
ｖｉ）ピット／グルーブの第２データパターン、及び
ｖｉｉ）カバー、
を連続して有している光学記録媒体であって、
当該記録媒体は、相互に連結している要素で構成されていると考えてもよく、前記要素は、
ａ）前記第１スタック層が設けられた上に前記のピット／グルーブの第１データパターンが設けられている基板、
ｄ）前記のピット／グルーブの第２データパターンが設けられた上に第２スタック層を設けられたスペーサーであって、該第２データパターンは該スペーサーにより第１データパターンから分離されている、スペーサー、及び
ｅ）カバー、
が連続していることを特徴とする光学記録媒体。
【請求項３】
ｉ）基板、
ｉｉ）ピット／グルーブの第１データパターン、
ｉｉｉ）前記第１データパターンに近接している第１スタック層、
ｉｖ）スペーサー、
ｖ）第２スタック層、
ｖｉ）ピット／グルーブの第２データパターン、及び
ｖｉｉ）カバー、
を連続して有している光学記録媒体であって、
当該記録媒体は、相互に連結している要素で構成されていると考えてもよく、前記要素は、
ｆ）基板、
ｇ）前記のピット／グルーブの第１データパターンが設けられた上に第１スタック層が設けられたスペーサーであって、該第１データパターンは、前記基板に対して横たわっている、スペーサー、及び
ｃ）前記第２スタック層が設けられた上に前記のピット／グルーブの第２データパターンが設けられたカバーであって、該第２スタック層は前記スペーサーに対して横たわっている、カバー、
が連続していることを特徴とする光学記録媒体。
【請求項４】
ｉ）基板、
ｉｉ）ピット／グルーブの第１データパターン、
ｉｉｉ）前記第１データパターンに近接している第１スタック層、
ｉｖ）スペーサー、
ｖ）第２スタック層、
ｖｉ）ピット／グルーブの第２データパターン、及び
ｖｉｉ）カバー、
を連続して有している光学記録媒体であって、
当該記録媒体は、相互に連結している要素で構成されていると考えてもよく、前記要素は、
ｆ）基板、
ｈ）一方で前記第１スタック層が設けられた上に前記のピット／グルーブの第１データパターンが設けられ、他方で前記第２スタック層が設けられた上に前記のピット／グルーブの第２データパターンが設けられた、スペーサー、及び、
ｅ）カバー、
が連続していることを特徴とする光学記録媒体。
【請求項５】
請求項１又は３に記載の光学記録媒体の製造方法であって、前記要素ｃ）は、
ｃ１）補助基板に前記カバー材料を設け、
ｃ２）該カバー材料に光重合可能ラッカーを適用し、
ｃ３）光重合可能ラッカー上にスタンパーを設置し、
ｃ４）重合反応を実行し、かつ前記スタンパーを取り除き、
ｃ５）前記の構築された光重合可能ラッカー上にスタック層をスパッタリングし、かつ
ｃ６）前記補助基板を取り除く、
ステップにより得られることを特徴とする方法。
【請求項６】
請求項２に記載の光学記録媒体の製造方法であって、前記要素ｄ）は、
ｄ１）スタンパーに光重合可能ラッカーを適用し、
ｄ２）重合反応を実行し、
ｄ３）スペーサーに該ステップｄ２）で重合したラッカーを結合し、
ｄ４）前記スタンパーを取り除き、かつ
ｄ５）前記の構築された光重合可能ラッカー上にスタック層をスパッタリングする、
ステップにより得られることを特徴とする方法。
【請求項７】
請求項２又は３に記載の光学記録媒体の製造方法であって、前記要素ｄ）又はｇ）は、
ｄ６）スタンパーにスタック層を適用し、
ｄ７）該スタック層に光重合可能ラッカーを適用し、かつ
ｄ８）スタック層に設けられた構築された光重合可能ラッカーを形成するように、重合反応を実行する、
ステップにより得られることを特徴とする方法。
【請求項８】
請求項２に記載の光学記録媒体の製造方法であって、前記要素ｄ）は、
ｄ９）前記要素ａ）上に前記スペーサーを設け、
ｄ１０）前記ステップｄ９）の前記スペーサー上に紫外線透過性スタンパーを設置し、
ｄ１１）重合反応を実行し、
ｄ１２）前記透過性スタンパーを取り除き、かつ、最後に、
ｄ１３）前記ステップｄ１１）の後に得られる構築された光重合可能ラッカー上にスタック層をスパッタリングする、
ステップにより得られることを特徴とする方法。
【請求項９】
請求項８に記載の光学記録媒体の製造方法であって、前記ステップｄ９）及び前記ステップｄ１０）は、
ｄ１４）前記要素ａ）上に前記スペーサーを設け、
ｄ１５）重合反応を実行し、
ｄ１６）前記ステップｄ１５）の重合スペーサー上に追加スペーサーを設け、かつ
ｄ１７）前記ステップｄ１６）の前記追加スペーサー上に前記紫外線透過性スタンパーを設置する、
４つのサブステップに分割されることを特徴とする方法。
【請求項１０】
請求項１乃至４のいずれか一項に記載の光学記録媒体の製造方法であって、一つ以上の前記要素ａ）乃至ｇ）が、圧力感応接着剤または光重合ラッカーにより相互に連結されていることを特徴とする方法。
【発明の詳細な説明】
【０００１】
本発明は、光学記録媒体に関し、連続して、
ｉ）基板、
ｉｉ）ピット／グルーブの第１データパターン、
ｉｉｉ）第１データパターンに接している第１スタック層、
ｉｖ）スペーサー、
ｖ）第２スタック層、
ｖｉ）ピット／グルーブの第２データパターン、及び
ｖｉｉ）カバー
を有している。
【０００２】
かかる光学記録媒体は、例えば、米国特許第５，６７９，５２９号明細書にて公知である。射出成形により得られ、データパターンを有するポリカーボネート基板は、スパッタリングによりアモルファスシリコンの反射層に設けられている。したがって構成されるディスクは、このディスクを回転する一方で紫外線硬化性光ポリマーなるスペーサー層が設けられた後、スピンコーターに配置される。このスペーサー層を硬化した後、第２光ポリマー層は、この上に設けられ、硬化される。続いて、負の第２データパターンを有するスタンパーを、スタンパーが注意深く除かれた後、ＵＶ照射に曝露することにより続いて硬化される、硬化されていない第３光ポリマーに接するように運ばれた後、第３光ポリマー層が設けられる。反射層は、したがって設けられる反射層が最終的にカバーに設けられる第２データパターンに適用される。
【０００３】
光学記録媒体の傾向の一つは、記録容量を増加させることである。この目的は、レーザー波長λを縮め、及び／又は開口数（ＮＡ）を増加することにより達成可能である。これは、レーザースポットの寸法が（λ／ＮＡ）２に比例するからである。代替的に、多重的な記録層を用いることにより達成されてもよい。
【０００４】
本発明の目的は、とりわけ、個々に製造され、相互に連結される要素から構成されると考えることが可能な光学記録媒体を供することである。
【０００５】
本発明に従うと、この目的は、この記録媒体の上述の要素が連続して、
ａ）第１スタック層が設けられた上にピット／グルーブの第１データパターンを設けた基板、
ｂ）スペーサー、及び
ｃ）第２スタック層を設けた上にピット／グルーブの第２データパターンを設けたカバーであって、第２スタック層は、スペーサーｂ）に対して横たわっている、カバー、
を有することにより達成される。
【０００６】
本発明の特定の実施例では、この記録媒体は、相互に連結される要素で構成されてもよく、この要素は、連続して
ａ）第１スタック層が設けられた上にピット／グルーブの第１データパターンを設けた基板、
ｄ）ピット／グルーブの第２データパターンを設けた上に第２スタック層を設けたスペーサーであって、この第２データパターンは、スペーサーにより第１データパターンから分離されており、及び
ｅ）カバー、
を有している。
【０００７】
異なる、好適実施例によると、当該記録媒体は、相互に連結されている要素から構成されてもよく、この要素は連続して、
ｆ）基板、
ｇ）ピット／グルーブの第１データパターンが設けられた上に第１スタック層を設けたスペーサーであって、この第１データパターンは、基板に対して横たわっている、スペーサー、
ｃ）第２スタック層が設けられた上にピット／グルーブの第２データパターンを設けたカバーであって、この第２スタックは、スペーサーｇ）に対して横たわっている、カバー、
を有している。
【０００８】
本発明のさらに別の実施例によると、この記録媒体は、相互に連結される要素から構成されていてもよく、この要素は、連続して、
ｆ）基板、
ｈ）一方で、ピット／グルーブの第１データパターンを設けた上に第１スタック層を設けられており、他方で、ピット／グルーブの第２データパターンを設けた上に第２スタック層を設けられたスペーサー、及び
ｅ）カバー、
を有している。
【０００９】
この光学記録媒体に使用されている透過性基板は、ポリカーボネートや無定形ポリオレフィン化合物などの、データパターンの形成の観点からみて、ピット／グルーブを形成することのできる種々の重合体材料で構成されていてもよい。代替的に、例えば、ガラスやポリメチルメタクリレートなどのフラットな基板で構成されていてもよく、この場合、ピット／グルーブのデータパターンは、光ポリマー複製により形成される。
【００１０】
この光学記録媒体に使用されているスペーサーは、放射線硬化性ポリマーなどのポリマーであってもよい。透過性スペーサー層は、レーザー源を第１データパターンと同様に第２データパターンにも集束可能とするのに十分厚みを有すべきであり、これにより、干渉を最小限に抑えられるべきである。この光学記録媒体に使用されている反射層は、特に、データパターンを再現するのに使用されているレーザー波長にて、高い反射性を有する金属層である。適当な材料の例は、アルミ、金、銀、銅及びこれらの合金である。
【００１１】
本発明は、さらに、光学記録媒体の製造方法に関し、この方法は、前記要素ｃ）が、以下のステップにより得られることを特徴としている。つまり：
ｃ１）補助基板にてカバー材料を設け、
ｃ２）このカバー材料に光重合可能ラッカーを適用し、
ｃ３）この光重合可能ラッカー上にスタンパーを設置し、
ｃ４）重合反応を行い、かつスタンパーを取り除き、
ｃ５）構築された光重合可能ラッカーにスタック層をスパッタリングし、かつ
ｃ６）補助基板を取り除く、
ことを有している。
【００１２】
特別な実施例において、特に好ましいのは、上記要素ｄ）が、以下のステップにより得られることである。つまり：
ｄ１）スタンパーに光重合可能ラッカーを適用し、
ｄ２）光重合反応を行い、
ｄ３）ステップｄ２）にて重合されたラッカーをスペーサーに結合し、
ｄ４）スタンパーを取り除き、かつ
ｄ５）構築された光重合可能ラッカー上にスタック層をスパッタリングする、
ことを有している。
【００１３】
他の実施例において、この方法は、上述の要素ｄ）又はｇ）が以下のステップにて得られることを特徴としている。つまり：
ｄ６）スタンパーにスタック層を適用し、
ｄ７）スタック層に光重合可能ラッカーを適用し、かつ
ｄ８）スタック層に設けられた構築された光重合可能ラッカーを形成するように、重合反応を行う、
ことを有している。
【００１４】
さらにその他の実施例において、この方法は、上述の要素ｄ）が、以下のステップにて得られることを特徴としている。つまり：
ｄ９）要素ａ）にスペーサーを設け、
ｄ１０）ステップｄ９）のスペーサー上に紫外線透過性スタンパーを設置し、
ｄ１１）光重合反応を行い、
ｄ１２）スタンパーを取り除き、かつ、最後に
ｄ１３）ステップｄ１１の後に得られる構築された光重合可能ラッカー上にスタック層をスパッタリングする、
ことを有している。
【００１５】
最後に述べた実施例を洗練すると、ステップｄ９）からｄ１０）は、４つのサブステップに分割される。つまり：
ｄ１４）要素ａ）上にスペーサーを設け、
ｄ１５）光重合反応を行い、
ｄ１６）ｄ１５）の重合されたスペーサー上に追加スペーサーを設け、かつ
ｄ１７）ｄ１６）の追加スペーサー上に紫外線透過性スタンパーを設置する、
ことを有している。
【００１６】
透過性スタンパーは例えば、射出鋳造工程による公知のニッケルスタンパーを用いて製造可能な透過性合成樹脂基板であってもよい。この透過性基板は、光学記録媒体に関して上述した同様の材料を有していてもよい。
【００１７】
加えて、上述の一つ以上の要素ａ）からｇ）は、圧力感応接着剤（ＰＳＡ）又は光重合ラッカー（２ｐ）により相互に連結されていてもよい。
【００１８】
本発明におけるこれら及びその他の面は、以下に述べる実施例に関する記載文から明らかになり、理解されるであろう。
【００１９】
図１では、光学記録媒体１は、基板２、ピット／グルーブの第１データパターン３、第１データパターン３に近接している第１スタック層４、スペーサー５、第２スタック層６、ピット／グルーブの第２データパターン７、及び最後にカバー８を連続して有している。
【００２０】
本発明による光学記録媒体１に関する特定の実施例は、図２に概略的に示されており、この図は、３つの分離した部材の組み合わせと考えることも可能である。つまり、第１スタック４が設けられた上にピット／グルーブの第１データパターン３を備えた基板２、スペーサー５及び第２スタック層６が設けられた上にピット／グルーブの第２データパターン７を備えられたカバー８、である。
【００２１】
図３は、本発明による光学記録媒体１に関する特定の実施例を示しており、この光学記録媒体１は、３つの個々の部材により構成されると考えることが可能である。つまり、第１スタック層４が設けられた上にピット／グルーブの第１データパターン３を備えた基板２、第２スタック層６及びピット／グルーブの第２データパターン７を設けたスペーサー５並びにカバー８、である。ピット／グルーブのデータパターン７は、透過性スタンパー９を介して投射される紫外線１０により生ずる重合反応を実施することにより、紫外線透過性スタンパー９により設けられる。
【００２２】
図４は、本発明による光学記録媒体１に関する特定の実施例を示しており、この光学記録媒体１は、３つの個々の部材の組み合わせであると考えられる。つまり、基板２、第１スタック層４及びピット／グルーブの第１データパターンを設けたスペーサー５並びにピット／グルーブの第２データパターン及び第２スタック層６を設けられているカバー８、である。
【００２３】
図５は、本発明による光学記録媒体１に関するさらに他の実施例を概略的に示しており、この光学記録媒体１は、個々の部材の組み合わせと考えることが可能である。つまり、基板２、並びに、一方に第１スタック層４が設けられた上にピット／グルーブの第１データパターン３を設けられ、他方で第２スタック層６が設けられた上にピット／グルーブの第２データパターン７を設けられたスペーサー５、である。
【図面の簡単な説明】
【００２４】
【図１】本発明による完成された光学記録媒体を示している。
【図２】本発明による光学記録媒体に関する特定の実施例を示している。
【図３】本発明による光学記録媒体に関する異なる実施例を示している。
【図４】本発明による光学記録媒体に関するさらに他の実施例を示している。
【図５】本発明による光学記録媒体に関する更なる実施例を示している。
【国際公開パンフレット】
2005501359.tif 000003
2005501359.tif 000004
2005501359.tif 000005
2005501359.tif 000006
2005501359.tif 000007
2005501359.tif 000008
2005501359.tif 000009
2005501359.tif 000010
2005501359.tif 000011
2005501359.tif 000012
2005501359.tif 000013
2005501359.tif 000014
2005501359.tif 000015
【国際調査報告】
2005501359.tif 000016
2005501359.tif 000017
2005501359.tif 000018